【手続補正書】
【提出日】平成19年6月18日(2007.6.18)
【手続補正１】
【補正対象書類名】明細書
【補正対象項目名】特許請求の範囲
【補正方法】変更
【補正の内容】
【特許請求の範囲】      
【請求項１】  第１と第２のベクトル成分を有するクロミナンス信号を供給する信号源と、
前記信号源に結合されて、前記クロミナンス信号を前記第１のベクトル成分と前記第２のベクトル成分に分離する分離器と、
前記分離器に結合されて、前記第１と第２のベクトル成分の大きさを、１画素毎に、クロミナンス信号の検出された飽和レベルの関数として調節する過負荷補償器と、から成るクロマ過負荷保護装置。
【請求項２】  前記過負荷補償器が、
前記第１と第２のベクトル成分に応答し、飽和表示信号を供給する飽和計算器と、
前記飽和表示信号に応答し、利得制御信号を供給する変換器と、
前記利得制御信号に応答し、第１の信号経路における前記第１のベクトル成分の利得と、第２の信号経路における前記第２のベクトル成分の利得を同時に調節する利得制御手段と、から成る、請求項１記載の装置。
【請求項３】  前記変換器が、
スケーリングし、且つハード制限またはソフト制限を選択的に前記飽和表示信号に加え、前記利得制御信号を供給する手段を含む、請求項２記載の装置。
【請求項４】  前記利得制御手段が、各信号経路の利得調節されたベクトル成分を対称的に丸める手段を含む、請求項３記載の装置。
【請求項５】  クロマ信号を供給する信号源と、
前記クロマ信号を前記第１のベクトル成分と前記第２のベクトル成分に分離するクロマ信号分離器と、
第１の乗算器および第１の対称的丸め装置を含み、前記第１のベクトル成分を処理する第１の信号経路と、
第２の乗算器および第２の対称的丸め装置を含み、前記第２のベクトル成分を処理する第２の信号経路と、
前記第１と第２のベクトル成分に応答して、飽和表示信号を供給する飽和計算器と、
前記飽和表示信号に応答して、利得制御信号を供給するルックアップ・テーブルと、
前記利得制御信号を前記乗算器の各々に共通に供給して、前記第１の信号経路における前記第１のベクトル成分と前記第２の信号経路における前記第２のベクトル成分の利得を同時に調節する手段と、から成るクロマ過負荷保護装置。
【請求項６】  テーブル選択信号を前記ルックアップ・テーブルの入力に供給し、前記テーブル選択信号が第１の値であるときハード制限を表す第１のテーブルを選択し、前記テーブル選択信号が第２の値であるときソフト制限を表す第２のテーブルを選択するソースを更に含む、請求項５記載の装置。
【請求項７】  前記飽和計算器が第１の遅延を呈し、前記ルックアップ・テーブルが第２の遅延を呈し、更に、
各信号経路において乗算器に先立ち、前記第１と第２の遅延の和に等しい遅延を有するそれぞれの遅延手段を更に含む、請求項５記載の装置。
【請求項８】  前記クロマ信号を前記クロマ信号分離器に供給し、前記ベクトル成分の平均振幅を、前記第１と第２の信号経路で処理する前に、安定化させる自動クロマ制御装置を更に含む、請求項５記載の装置。
【請求項９】  供給される抑止信号に応答し、該抑止信号が存在すると、前記信号経路の各々に現れるクロマ・ベクトル成分の振幅をゼロにする抑止手段と、
前記抑止信号の供給源と、を更に含む請求項５記載の装置。
【請求項１０】  クロマ過負荷保護を行う方法であって、
第１と第２のベクトル成分を有するクロミナンス信号を供給するステップと、
前記クロミナンス信号を前記第１のベクトル成分と前記第２のベクトル成分に分離するステップと、
前記第１と第２のベクトル成分の大きさを、１画素毎に、クロミナンス信号の検出された飽和レベルの関数として調節するステップと、から成る前記方法。
【請求項１１】  前記調節するステップが、
前記第１と第２のベクトル成分から飽和表示信号を発生すること、
前記飽和表示信号を利得制御信号に変換すること、そして
第１の信号経路における前記第１のベクトル成分の振幅および第２の信号経路における前記第２のベクトル成分の振幅を前記利得制御信号にしたがって調節すること、から成る請求項１０記載の方法。
【請求項１２】  前記調節するステップが、
前記第１の信号経路における前記第１のベクトル成分に前記利得制御信号を掛け、その結果を対称的に丸めること、そして
前記第２の信号経路における前記第２のベクトル成分に前記利得制御信号を掛け、その結果を対称的に丸めること、から成る請求項１１記載の方法。
【請求項１３】  前記クロマ信号を前記ベクトル成分に分離するステップに先立ち前記クロマ信号の平均振幅を安定化させるステップを更に含む、請求項１２記載の方法。
【手続補正２】
【補正対象書類名】明細書
【補正対象項目名】００１３
【補正方法】変更
【補正の内容】
【００１３】
クロマ過負荷保護を行う本発明による方法は、第１と第２のベクトル成分を有するクロミナンス信号を供給するステップ；クロミナンス信号を第１のベクトル成分と第２のベクトル成分に分離するステップ；および第１と第２のベクトル成分の大きさを、１画素毎に、クロミナンス信号の検出された飽和レベルの関数として調節するステップ、から成る。
特許請求の範囲と実施例との対応関係を図面で使われている参照番号で示すと次の通りである。
（１）  第１と第２のベクトル成分を有するクロミナンス信号を供給する信号源１０と、
前記信号源に結合されて、前記クロミナンス信号を前記第１のベクトル成分Ｕと前記第２のベクトル成分Ｖに分離する分離器３０と、
前記分離器に結合されて、前記第１と第２のベクトル成分Ｕ，Ｖの大きさを、１画素毎に、クロミナンス信号の検出された飽和レベルの関数として調節する過負荷補償器５０と、から成るクロマ過負荷保護装置。
（２）  前記過負荷補償器が、
前記第１と第２のベクトル成分Ｕ，Ｖに応答し、飽和表示信号を供給する飽和計算器７８と、
前記飽和表示信号に応答し、利得制御信号を供給する変換器５３０と、
前記利得制御信号に応答し、第１の信号経路における前記第１のベクトル成分Ｕの利得と、第２の信号経路における前記第２のベクトル成分Ｖの利得を同時に調節する利得制御手段６０，６２と、から成る、（１）記載の装置。
（３）  前記変換器５３０が、
スケーリングし、且つハード制限またはソフト制限を選択的に前記飽和表示信号に加え、前記利得制御信号を供給する手段７２Ａを含む、（２）記載の装置。
（４）  前記利得制御手段が、各信号経路の利得調節されたベクトル成分を対称的に丸める手段５１４，５２４を含む、（３）記載の装置。
（５）  クロマ信号を供給する信号源１０と、
前記クロマ信号を前記第１のベクトル成分Ｕと前記第２のベクトル成分Ｖに分離するクロマ信号分離器３０と、
第１の乗算器５１２および第１の対称的丸め装置５１４を含み、前記第１のベクトル成分を処理する第１の信号経路５１０と、
第２の乗算器５２２および第２の対称的丸め装置５２４を含み、前記第２のベクトル成分を処理する第２の信号経路５２０と、
前記第１と第２のベクトル成分に応答して、飽和表示信号を供給する飽和計算器７８と、
前記飽和表示信号に応答して、利得制御信号を供給するルックアップ・テーブル７２Ａと、
前記利得制御信号を前記乗算器５１２，５２２の各々に共通に供給して、前記第１の信号経路における前記第１のベクトル成分と前記第２の信号経路における前記第２のベクトル成分の利得を同時に調節する手段７２と、から成るクロマ過負荷保護装置。
（６）  テーブル選択信号ＴＳを前記ルックアップ・テーブル７２Ａの入力に供給し、前記テーブル選択信号ＴＳが第１の値であるときハード制限を表す第１のテーブルを選択し、前記テーブル選択信号ＴＳが第２の値であるときソフト制限を表す第２のテーブルを選択するソース５４１を更に含む、（５）記載の装置。
（７）  前記飽和計算器７８が第１の遅延を呈し、前記ルックアップ・テーブル７２Ａが第２の遅延を呈し、更に、
各信号経路において乗算器５１２，５２２に先立ち、前記第１と第２の遅延の和に等しい遅延を有するそれぞれの遅延手段５１１，５２１を更に含む、（５）記載の装置。
（８）  前記クロマ信号を前記クロマ信号分離器３０に供給し、前記ベクトル成分Ｕ，Ｖの平均振幅を、前記第１と第２の信号経路５１０，５２０で処理する前に、安定化させる自動クロマ制御装置１０を更に含む、（５）記載の装置。
（９）  供給される抑止信号ＩＮＨに応答し、該抑止信号が存在すると、前記信号経路５１０，５２０の各々に現れるクロマ・ベクトル成分の振幅をゼロにする抑止手段５０９と、
前記抑止信号の供給源５５０と、を更に含む（５）記載の装置。
（１０）  クロマ過負荷保護を行う方法であって、
第１と第２のベクトル成分を有するクロミナンス信号を供給するステップと、
前記クロミナンス信号を前記第１のベクトル成分と前記第２のベクトル成分に分離するステップと、
前記第１と第２のベクトル成分の大きさを、１画素毎に、クロミナンス信号の検出された飽和レベルの関数として調節するステップと、から成る前記方法。
（１１）  前記調節するステップが、
前記第１と第２のベクトル成分から飽和表示信号を発生すること、
前記飽和表示信号を利得制御信号に変換すること、そして
第１の信号経路における前記第１のベクトル成分の振幅および第２の信号経路における前記第２のベクトル成分の振幅を前記利得制御信号にしたがって調節すること、から成る（１０）記載の方法。
（１２）  前記調節するステップが、
前記第１の信号経路における前記第１のベクトル成分に前記利得制御信号を掛け、その結果を対称的に丸めること、そして
前記第２の信号経路における前記第２のベクトル成分に前記利得制御信号を掛け、その結果を対称的に丸めること、から成る（１１）記載の方法。
（１３）  前記クロマ信号を前記ベクトル成分に分離するステップに先立ち前記クロマ信号の平均振幅を安定化させるステップを更に含む、（１２）記載の方法。
【手続補正３】
【補正対象書類名】明細書
【補正対象項目名】００２１
【補正方法】変更
【補正の内容】
【００２１】
Ｕ信号とＶ信号の経路内に対称的丸め装置を備えると、出力信号が１８ビットから１２ビットに削減されても、クロマ・ベクトルＵｏｕｔとＶｏｕｔに著しい「丸め誤差」を生じなくなるので有利である。「丸め誤差（ｒｏｕｎｄｉｎｇ  ｅｒｒｏｒ）」は出力信号内にＤＣシフトを発生するので、望ましくない色相シフトを生じる。ここで使用される、対称的丸めは、丸めによる著しい誤差および著しい色相のシフトを防止する。制限期間の間に色相の完全な状態を確保する目的で本発明に使用するのに適する丸め回路の例は、例えば、１９９７年１２月９日発行の米国特許第５，６９６，７１０号でヘーグ（Ｈａｇｕｅ）氏他によって述べられている。